(57)【要約】      （修正有）【課題】進化したシステム・アタッチ処理手順を実装する無線通信システムおよび方法を提供する。【解決手段】本システムは、第１のコア・ネットワーク、および第１のコア・ネットワークから進化した第２のコア・ネットワークを含む。無線送受信ユニット（ＷＴＲＵ）が、アタッチ要求メッセージを第２のコア・ネットワークに送信する。第２のコア・ネットワークは、パケット・データ・プロトコル（ＰＤＰ）コンテキストを活性化し、そしてアタッチ受付メッセージをＷＴＲＵに送信する。アタッチ受付メッセージは、ＰＤＰコンテキストに関する情報を含む。第２のコア・ネットワークは、ＷＴＲＵに対するセッション管理（ＳＭ）およびモビリティ管理（ＭＭ）のためのセッションおよびモビリティ管理（ＳＭＭ）コンテキストを構築する。【選択図】図６
2014150578.tif 000002
【特許請求の範囲】
【請求項１】
ネットワークにアタッチする無線送受信ユニット（ＷＴＲＵ）において使用される方法であって、
前記ＷＴＲＵの識別子とアタッチ種別とを含むアタッチ要求メッセージを送信すること、
サービス品質（ＱｏＳ）情報と、アクセス・ポイント名（ＡＰＮ）情報と、前記ＷＴＲＵのインターネット・プロトコル（ＩＰ）アドレスとを含むアタッチ受付メッセージを受信すること、および
アタッチ完了メッセージを送信すること
を備えたことを特徴とする方法。
【請求項２】
前記ＷＴＲＵの前記識別子は、国際移動体加入者識別子（ＩＭＳＩ）であることを特徴とする請求項１に記載の方法。
【請求項３】
前記ＷＴＲＵの前記識別子は、パケット一時移動体加入者識別子（Ｐ−ＴＭＳＩ）およびルーティング・エリア識別子（ＲＡＩ）であることを特徴とする請求項１に記載の方法。
【発明の詳細な説明】
【技術分野】
【０００１】
本発明は一般に、進化した無線通信システム（例えば、進化した統合移動通信システム（Universal Mobile Telecommunication System：ＵＭＴＳ）地上無線アクセス・ネットワーク（Terrestrial Radio Access Network）（Ｅ−ＵＴＲＡＮ））に関する。本発明はより詳細には、進化したシステム・アタッチ処理手順を実装する無線通信システムおよび方法に関する。
【背景技術】
【０００２】
第３世代（３Ｇ）システムの進化は進行中であり、より高いデータ速度、より少ない待機時間、および複数の無線アクセス技術（Radio Access Technology：ＲＡＴ）の支援を提供しつつある。進化した３Ｇシステムの主たる特徴には、より効率が良い高いデータ速度を扱う拡張した無線インタフェースと、シグナリング手順の数を減少させかつ設定遅延を減少させるための、従来の手順の最適化と、ＧＳＭ（Global Standards for Mobile communication）、ＧＰＲＳ（General Packet Radio Services）、広帯域符号分割多元接続（Wideband Code Division Multiple Access：ＷＣＤＭＡ（登録商標））、ＣＤＭＡ２０００、ＩＥＥＥ  ８０２．ｘｘ、または同様のものなどの、任意の無線インタフェースの相互接続および相互動作をも可能にするための、ネットワーク設計が含まれる。
【０００３】
図１は、従来のＧＰＲＳアクセス・インタフェースおよび基準点を示す。端末装置（Terminal Equipment：ＴＥ）１０４および移動体端末（Mobile Terminal：ＭＴ）１０６を含む、移動局（Mobile Station：ＭＳ）１０２が、複数のＧＰＲＳパケット領域ネットワーク１０８ａ、１０８ｂの１つにアタッチされ、それがさらにパケット・データ・ネットワーク１１０に接続される。ＧＰＲＳパケット領域ネットワーク１０８ａ、１０８ｂは、ネットワーク・アクセス制御機能、パケットのルーティングおよび転送機能、モビリティ管理機能、論理回線管理機能、無線リソース管理機能、ネットワーク管理機能、または同様のものを実行する。
【０００４】
ネットワーク・アクセス制御機能には、登録、認証および許可、流入制御、メッセージ選別、パケット・フォーマット適合化、課金データ収集、通信事業者決定規制、または同様のものが含まれる。パケットのルーティングおよび転送機能には、中継、ルーティング、アドレス変換およびマッピング、カプセル化、トンネル動作、圧縮、暗号化、ドメイン名サーバ、または同様のものが含まれる。論理回線管理機能には、セッションの確立、維持管理、および解放が含まれる。
【０００５】
図２Ａおよび２Ｂは、ＩｕモードにおけるＭＳおよびサービングＧＲＰＳ支援ノード（Serving GRPS Support Node：ＳＧＳＮ）のモビリティ管理（Mobility Management：ＭＭ）に関する従来の状態機械を示す。ＭＳおよびＳＧＳＮは、パケット・モビリティ管理（Packet Mobility Management：ＰＭＭ）−デタッチ状態、ＰＭＭ−接続状態、およびＰＭＭ−アイドル状態の内の１つにあることができる。ＰＭＭ−デタッチ状態においては、ＭＳとＳＧＳＮの間には、通信が存在しない。ＭＳおよびＳＧＳＮにおいてＭＭコンテキストを確立するために、ＭＳはＧＰＲＳアタッチ手順を実行する。ＧＰＲＳアタッチにおいては、状態はＰＭＭ−接続状態に変化し、そしてＭＳとＳＧＳＮの間でパケット交換（Packet Switching：ＰＳ）シグナリング接続が確立される。ＰＳシグナリング接続解放は、状態をＰＭＭ−アイドル状態に変化させる。ＧＰＲＳデタッチ、ＰＳアタッチ拒否、またはルーティング・エリア更新（Routing Area Update：ＲＡＵ）拒否は、状態をＰＭＭ−デタッチ状態に変化させる。ＰＭＭ−アイドルおよびＰＭＭ−接続状態においては、セッション管理（Session Management：ＳＭ）状態は、活性であるか、または非活性であることができる。
【０００６】
図３Ａ、３Ｂ、および３Ｃは全体として、従来のＧＰＲＳシステムにおけるアタッチ手順３００のシグナリング図である。図３Ａに示されるように、新ＳＧＳＮ３０６へのアタッチ要求(ATTACH REQUEST)メッセージの送信により、ＭＳ３０２がアタッチ手順３００を起動する（ステップ３２２）。アタッチ要求メッセージには、国際移動体加入者識別子（International Mobile Subscriber Identity：ＩＭＳＩ）（あるいはまた、パケット一時移動体加入者識別子（Packet-Temporary Mobile Subscriber Identity：Ｐ−ＴＭＳＩ）、および旧ルーティング・エリア識別子（Routing Area Identity：ＲＡＩ））、アタッチ種別、または同様のものが含まれる。
【０００７】
ＭＳ３０２がＰ−ＴＭＳＩにより自身を識別する場合には、新ＳＧＳＮ３０６は旧ＳＧＳＮアドレスをＲＡＩから導出し、ＭＳ３０２のＩＭＳＩ情報を要求する（ステップ３２４）。新ＳＧＳＮ３０６は、旧ＳＧＳＮ３０８に識別要求メッセージを送信する（ステップ３２６）。識別要求（IDENTIFICATION REQUEST）メッセージには、Ｐ−ＴＭＳＩ、旧ＲＡＩ、旧Ｐ−ＴＭＳＩ署名、または同様のものが含まれる。旧ＳＧＳＮ３０８は、Ｐ−ＴＭＳＩを記録と照合し、新ＳＧＳＮ３０６に対してＭＳ３０２のＩＭＳＩと共に識別応答メッセージを送信する（ステップ３２８、３３０）。旧ＳＧＳＮ３０８においてＭＳ３０２が既知である場合には、旧ＳＧＳＮ３０８は、ＩＭＳＩ、認証三重項、または認証五重項を含む、識別応答メッセージにより応答する。旧ＳＧＳＮ３０８においてＭＳ３０２が既知でなく、または旧Ｐ−ＴＭＳＩが旧ＳＧＳＮ３０８中に格納された値に合致しない場合には、ステップ３３０にて旧ＳＧＳＮ３０８は、識別応答（IDENTIFICATION RESPONSE）メッセージにおいて適切な誤り理由と共に応答する。
【０００８】
旧ＳＧＳＮ３０８においてＭＳ３０２が未知である場合には、新ＳＧＳＮ３０６は、識別子（IDentity：ＩＤ）要求（ＩＤ種別＝ＩＭＳＩ）をＭＳ３０２に送信する（ステップ３３４）。ＭＳ３０２は、ＭＳ３０２のＩＭＳＩを含むＩＤ応答により応答する（ステップ３３６）。
【０００９】
ＭＳに関するＭＭコンテキストがネットワーク中の何処にも存在しないなら、認証手順が、ＭＳ３０２、新ＳＧＳＮ３０６、およびＨＬＲ（Home Location Register）３１４によって実行される（ステップ３３８）。
【００１０】
図３Ｂを参照して、通信事業者設定に基づいてオプションで、ＭＳ３０２、新ＳＧＳＮ３０６、および機器識別子レジスタ（Equipment Identity Register：ＥＩＲ）３１０により国際加入者識別子（International Mobile Equipment Identity：ＩＭＥＩ）検査手順を実行することができる（ステップ３４０）。最終のＧＰＲＳデタッチ以降、ＳＧＳＮ番号が変化している場合、またはそれがまさに最初のアタッチである場合には、新ＳＧＳＮ３０６は、位置更新（UPDATE LOCATION）メッセージをＨＬＲ３１４に送信することによってＨＬＲ３１４を更新する（ステップ３４２）。位置更新メッセージには、ＳＧＳＮ番号、ＳＧＳＮアドレス、ＩＭＳＩ、または同様のものが含まれる。
【００１１】
ＨＬＲ３１６はＳＧＳＮ番号を記録と比較し、旧ＳＧＳＮ３０８に位置消去（CANCEL LOCATION）メッセージ（ＩＭＳＩ、消去種別を含む）を送信する（ステップ３４４、３４６）。旧ＳＧＳＮ３０８は、位置消去確認応答（ＡＣＫ）（CANCEL LOCATION ACK）により確認する（ステップ３４８）。ＨＬＲ３１４は、ＩＭＳＩおよびＧＰＲＳ加入者データを含む加入者データ挿入（INSERT SUBSCRIBER DATA）メッセージを新ＳＧＳＮ３０６に送信する（ステップ３５０）。
【００１２】
新ＳＧＳＮ３０６は、新ルーティング・エリア（Routing Area：ＲＡ）においてＭＳ３０２が許可されないかを検査する（ステップ３５２）。地域加入者制限またはアクセス制限に依って、ＭＳ３０２がそのＲＡにおいてアタッチを許可されない場合には、新ＳＧＳＮ３０６は、そのアタッチ要求を適切な理由（cause）により拒否し、そして加入者データ挿入ＡＣＫ（INSERT SUBSCRIBER DATA ACK）（ＩＭＳＩ、ＳＧＳＮエリア制限メッセージを含む）をＨＬＲ３１４に返すことができる（ステップ３５４）。加入者検査が他の理由で失敗したなら、新ＳＧＳＮ３０６はまた、適切な理由によりそのアタッチ要求を拒否し、そして加入者データ挿入ＡＣＫ（ＩＭＳＩおよび理由を含む）をＨＬＲ３１４に返す。すべての検査がうまくいったなら、新ＳＧＳＮ３０６はＭＳ３０２に関するＭＭコンテキストを構築し、そして加入者データ挿入ＡＣＫ（ＩＭＳＩを含む）をＨＬＲ３１４に返す（ステップ３５６，３５８）。ＨＬＲ３１４はＭＭコンテキストを更新し、そして位置更新ＡＣＫ（UPDATE LOCATION ACK）を新ＳＧＳＮ３０６に送信する（ステップ３６０、３６２）。
【００１３】
図３Ｃを参照すると、アタッチ要求にて示されたアタッチ種別が結合ＧＰＲＳ／ＩＭＳＩアタッチを示す場合には、在圏網加入者管理レジスタ（Visitor Location Register：ＶＬＲ）が更新されるべきである。新ＳＧＳＮ３０６は、位置更新要求（LOCATION UPDATE REQUEST）を新ＶＬＲ３１２に送信する（ステップ３６４）。位置更新要求には、新ＬＡＩ、ＩＭＳＩ、ＳＧＳＮ番号、位置更新種別、または同様のものが含まれる。
【００１４】
新ＶＬＲ３１２は、ＳＧＳＮ番号を格納することによって、新ＳＧＳＮ３０６との関連付けを作成する。位置範囲（Location Area：ＬＡ）更新が移動交換局（Mobile Switching Center：ＭＳＣ）間であるなら、新ＶＬＲ３１２は、位置更新（UPDATE LOCATION）メッセージ（ＩＭＳＩおよび新ＶＬＲを含む）をＨＬＲ３１４に送信する（ステップ３６６）。ＨＬＲ３１４は、位置消去（CANCEL LOCATION）メッセージを旧ＶＬＲ３１６に送信する（ステップ３６８）。旧ＶＬＲ３１６は、位置消去ＡＣＫ（CANCEL LOCATION ACK）により確認する（ステップ３７０）。
【００１５】
ＨＬＲ３１４は、加入者データ挿入（INSERT SUBSCRIBER DATA）メッセージ（ＩＭＳＩおよび加入者データを含む）を新ＶＬＲ３１２に送信する（ステップ３７２）。新ＶＬＲ３１２は、加入者データ挿入ＡＣＫ（INSERT SUBSCRIBER DATA ACK）により確認する（ステップ３７４）。ＭＳＣ間位置更新手順を終了した後に、ＨＬＲ３１４は位置更新ＡＣＫ（UPDATE LOCATION ACK）により新ＶＬＲ３１２に応答する（ステップ３７６）。新ＶＬＲ３１２は、位置更新受付（LOCATION UPDATE ACCEPT）メッセージ（ＶＥＲ  ＴＭＳＩを含む）により新ＳＧＳＮ３０６に応答する（ステップ３７８）。
【００１６】
新ＳＧＳＮ３０６は、アタッチ受付（ATTACH ACCEPT）メッセージをＭＳ３０２に送信する（ステップ３８０）。アタッチ受付メッセージには、Ｐ−ＴＭＳＩ、ＶＬＲ  ＴＭＳＩ、Ｐ−ＴＭＳＩ署名、および無線優先権ＳＭＳが含まれる。次にＭＳ３０２がアタッチ完了（ATTACH COMPLETE）メッセージを新ＳＧＳＮ３０６に返し、そして新ＳＧＳＮ３０６はＴＭＳＩの再割り当て完了（TMSI REALLOCATION COMPLETE）メッセージを新ＶＬＲ３１２に送信する（ステップ３８２、３８４）。
【００１７】
図４は、ＳＭに関する従来の状態機械の図である。ＧＰＲＳ加入には、１つまたは複数のパケット・データ・プロトコル（Packet Data Protocol：ＰＤＰ）アドレスの加入が含まれる。それぞれのＰＤＰアドレスはＰＤＰコンテキストの要素である。ＰＤＰ状態は、データ転送がそのＰＤＰアドレスに関して有効にされている（enabled）か否かを示す。ＰＤＰコンテキストが活性化されると、ＰＤＰ状態は非活性状態から活性状態に遷移する。非活性化手順が起動された場合か、ＭＭ状態がＰＭＭ−アイドル状態またはＰＭＭ−デタッチ状態に変化した場合に、活性状態から非活性状態に変化する。
【００１８】
非活性状態においては、ＭＳのあるＰＤＰアドレスに対するデータ・サービスは活性化されず、そしてＰＤＰコンテキストはそのＰＤＰアドレスに関するＰＤＰプロトコル・データ・ユニット（Protocol Data Unit：ＰＤＵ）を処理するためのルーティングまたはマッピング情報を何も含まない。活性状態においては、使用中であるＰＤＰアドレスに対するＰＤＰコンテキストが、ＭＳ、ＳＧＳＮ、およびゲートウェイＧＰＲＳサポートノード（Gateway GPRS Support Node：ＧＧＳＮ）において活性化される。ＰＤＰコンテキストは、ＭＳおよびＧＧＳＮの間のその特定なＰＤＰアドレスに対してＰＤＰ  ＰＤＵを転送するためのマッピングおよびルーティング情報を含む。ＭＳのＭＭ状態がＰＭＭ−アイドル状態またはＰＭＭ−接続状態であるときにのみ、活性状態は許容される。
【００１９】
図５は、従来のＰＤＰコンテキストの活性化手順５００のフロー図である。ＭＳ３０２が、ＰＤＰコンテキスト活性化要求（ACTIVATE CONTEXT REQUEST）メッセージをＳＧＳＮ３０６に送信する（ステップ５０２）。ＰＤＰコンテキスト活性化要求メッセージには、ＰＤＰ種別、ＰＤＰアドレス、アクセス・ポイント名（Access Point Name：ＡＰＮ）、要求されるサービス品質（Quality of Service：ＱｏＳ）、プロトコル設定オプション、または同様のものが含まれる。ＳＧＳＮ３０６は、ＰＤＰコンテキスト活性化要求を有効にし、ＡＰＮを選択し、そしてＡＰＮをＧＧＳＮ３１０にマッピングする（ステップ５０４）。
【００２０】
ＳＧＳＮ３０６は、ＰＤＰコンテキスト生成要求（CREAT PDP CONTEXT REQUEST）メッセージをＧＧＳＮ３１０に送信する（ステップ５０６）。ＰＤＰコンテキスト生成要求メッセージには、ＰＤＰ種別、ＰＤＰアドレス、ＡＰＮ、折衝済みＱｏＳ、ＴＥＩＤ、課金特性、または同様のものが含まれる。ＧＧＳＮ３１０は、そのＰＤＰコンテキスト表中に新エントリーを生成し、そしてＰＤＰコンテキスト生成応答（CREATE PDP CONTEXT RESPONSE）をＳＧＳＮ３０６に返す（ステップ５０８）。ＰＤＰコンテキスト生成応答メッセージには、ＴＥＩＤ、ＰＤＰアドレス、プロトコル設定オプション、折衝済みＱｏＳ、課金ＩＤ、または同様のものが含まれる。
【００２１】
無線アクセス・ベアラ（Radio Access Bearer：ＲＡＢ）設定（RADIO ACCESS BEARER SETUP）は、ＭＳ３０２、ＲＡＮ３０４、およびＳＧＳＮ３０６の間で実行される（ステップ５１０）。Ｉｕモードにおいて、かつ基本サービス・セット（Basic Service Set：ＢＳＳ）トレースが活性化されているなら、ＳＧＳＮ３０６は、トレース呼び出し（INVOKE TRACE）メッセージをＲＡＮ３０４に送信することができる（ステップ５１２）。ＳＧＳＮ３０６は、ＰＤＰコンテキスト更新要求（UPDATE PDP CONTEXT REQUEST）を送信することによって、評価下げされたＱｏＳ属性に関してＧＧＳＮ３１０に通知することができる（ステップ５１４）。ＧＧＳＮ３１０は、ＰＤＰコンテキスト更新応答（UPDATE PDP CONTEXT RESPONSE）をＳＧＳＮ３０６へ送信することによって、新ＱｏＳ属性を確認する（ステップ５１６）。
【００２２】
ＳＧＳＮ３０６は、そのＰＤＰコンテキスト中にＧＧＳＮアドレスを挿入する（ステップ５１８）。ＭＳ３０２が動的アドレスを要求しているなら、ＧＧＳＮ３１０から受信されたＰＤＰアドレスは、ＰＤＰコンテキスト中に挿入される。ＳＧＳＮ３０６は、折衝済みＱｏＳに基づき無線優先権およびパケット・フローＩＤを選択し、そしてＰＤＰコンテキスト活性化受付（ACTIVATE PDP CONTEXT ACCEPT）メッセージをＭＳ３０２に返す（ステップ５２０）。ＰＤＰコンテキスト活性化受付メッセージには、ＰＤＰ種別、ＰＤＰアドレス、トランザクション識別子（Transaction Identifier：ＴＩ）、折衝済みＱｏＳ、無線優先権、パケット・フローＩＤ、プロトコル設定オプション、または同様のものが含まれる。ＭＳネットワーク能力において示されたＭＳ３０２が、ＢＳＳパケット・フロー手順を支援していない場合には、ＳＧＳＮ３０６は、パケット・フローＩＤを含まないものとする。
【発明の概要】
【課題を解決するための手段】
【００２３】
本発明は、進化したシステム・アタッチ処理手順を実装する無線通信システムおよび方法に関する。本無線通信システムには、第１のコア・ネットワーク（すなわち、従来の第３世代パートナーシップ・プロジェクト（３rd Generation Partnership Project：３ＧＰＰ）コア・ネットワーク）、および第１のコア・ネットワークから進化した第２のコア・ネットワーク（すなわち、進化したコア・ネットワーク）が含まれる。進化したシステムにおいて動作する進化した無線送受信ユニット（Wireless Transmit/Receive Unit：ＷＴＲＵ）は電源を投入されると、修正されたアタッチ要求メッセージを進化したコア・ネットワークに送信する。受信すると、進化したコア・ネットワークは、３ＧＰＰ  ＴＳ２３．０６０  ＰＳアタッチ手順（例えば、認証、許可、モビリティ管理、または同様のもの）において特定されたのと同一の手順を実行する。進化したコア・ネットワークは次に、ＰＤＰコンテキストの活性化（ＷＴＲＵに対するデフォルトＩＰアドレスの割り当ておよび設定）に進む。ＩＰ設定手順（ＰＤＰコンテキスト活性化）が成功裏に完了すると、進化したコア・ネットワークは新規アタッチ受付メッセージをＷＴＲＵに送信する。新規アタッチ受付メッセージは、ＰＤＰコンテキスト（例えば、ＩＰアドレス、ＩＰバージョン（すなわち、ｖ４またはｖ６）、ＡＰＮ情報、ＱｏＳ、または同様のもの）に関する情報を含む。進化したコア・ネットワークはまた、ＷＴＲＵに対するセッション管理（Session Management：ＳＭ）およびモビリティ管理（Mobility Management：ＭＭ）についてセッションおよびモビリティ管理（Session and Mobility Management：ＳＭＭ）コンテキストを構築する。本発明によるＳＭ状態およびＭＭ状態は、従来の３ＧＰＰ準拠のＭＭおよびＳＭ状態（第１のコア・ネットワークにおける）とは異なる。本発明によるＳＭおよびＭＭは、ＷＴＲＵの全体的動作に対するＩＰアドレス割り当てを採用する。ＷＴＲＵが接続された場合には、ＩＰアドレスが割り当てられる。ＩＰアドレスが全く割り当てられていない場合には、ＷＴＲＵはデ・アタッチの状態（すなわち、接続不可能なオフ状態）である。本発明によると、ＷＴＲＵ状態（使用可能性）はＩＰアドレスの割り当てに依存する。従って、ＭＭ状態の間の状態遷移は変化する。
【図面の簡単な説明】
【００２４】
【図１】従来のＧＰＲＳアクセス・インタフェースおよび基準点の図である。
【図２Ａ】従来のモビリティ管理に対する状態機械を示す図である。
【図２Ｂ】従来のモビリティ管理に対する状態機械を示す図である。
【図３Ａ】全体として、従来のＰＳ−アタッチおよび登録手順のフロー図である。
【図３Ｂ】全体として、従来のＰＳ−アタッチおよび登録手順のフロー図である。
【図３Ｃ】全体として、従来のＰＳ−アタッチおよび登録手順のフロー図である。
【図４】従来のセッション管理に対する状態機械の図である。
【図５】従来のＰＤＰコンテキスト活性化手順のフロー図である。
【図６】本発明による、Ｅ−ＵＴＲＡＮおよび進化したコア・ネットワーク（Core Network：ＣＮ）を含む代表的な進化したシステム・アーキテクチャの図である。
【図７】本発明による、進化したシステムのコア・ネットワーク上位レベル機能の図である。
【図８】本発明による、セッションおよびモビリティ管理（Session and Mobility Management：ＳＭＭ）に対する状態機械を示す図である。
【図９Ａ】全体として、本発明による進化したシステム・アタッチ処理および登録手順のフロー図である。
【図９Ｂ】全体として、本発明による進化したシステム・アタッチ処理および登録手順のフロー図である。
【図９Ｃ】全体として、本発明による進化したシステム・アタッチ処理および登録手順のフロー図である。
【発明を実施するための形態】
【００２５】
以下では、用語「ＷＴＲＵ」は、限定するものではないが、ユーザ機器（User Equipment：ＵＥ）、ＭＳ、固定または移動体の加入者ユニット、ページャ、または無線環境において動作する能力のある他の型のいかなるデバイスをも含む。
【００２６】
本発明の特徴は、集積回路（Integrated Circuit：ＩＣ）に組み込むこと、または多数の相互接続された部品を備える回路にて構成することができる。
【００２７】
図６は、本発明によるＥ−ＵＴＲＡＮおよび進化したＣＮ（core network）を含む代表的な進化したシステム６００の図である。進化したシステム６００は、アクセス・システム階層（stratum）６１０、ネットワーク階層６２０、およびマルチメディア階層６３０を含む。アクセス・システム階層６１０は、複数の無線アクセス・ネットワーク（Radio Access Network：ＲＡＮ）、ＣＮ６１６、および進化したＣＮ６１７を含む。ＲＡＮは、汎用アクセス・ネットワーク（Generic Access Network：ＧＡＮ）６１１、ＧＳＭ／ＥＤＧＥ無線アクセス・ネットワーク（GSM/EDGE Radio Access Network：ＧＥＲＡＮ）６１２、ＵＴＲＡＮ６１３、Ｅ−ＵＴＲＡＮ６１４、および網間接続無線ローカル・エリア・ネットワーク（Interworking Wireless Local Area Network：Ｉ−ＷＬＡＮ）６１５を含む。ＲＡＮ６１１〜６１５は、１つまたは複数のＷＴＲＵに対して、ネットワーク階層６２０における、認証・許可・会計（Authentication, Authorization and Accounting：ＡＡＡ）サーバ６２１、移動体（Mobile）ＩＰ（ＭＩＰ）サーバ６２２、または他のネットワーク・エンティティと、ＧＧＳＮ６１８またはパケット・データ・ゲートウェイ（Packet Data Gateway：ＰＤＧ）６１９を介して相互作用しながら、サービス（インターネット・プロトコル・マルチメディア・サブシステム（Internet Protocol（IP） Multimedia Subsystem：ＩＭＳ）６３１からのマルチメディア・サービスなど）を提供するために、ＣＮ６１６または進化したＣＮ６１７に接続される。
【００２８】
図７は、本発明による進化したシステムのコア・ネットワーク上位レベル機能の図である。ネットワーク・アクセスおよびＩＰ接続性制御機能は、登録、認証・許可、流入、メッセージ選別、パケット・フォーマット適合化、課金データ収集、通信事業者決定規制、または同様のものを制御する。パケット・ルーティングおよび転送機能は、中継、ルーティング、アドレス変換・マッピング、カプセル化、トンネル動作、圧縮、暗号化、ドメイン名サーバ、または同様のものを制御する。論理的回線管理機能は、セッションの確立、維持管理、および解放を制御する。
【００２９】
図８Ａおよび図８Ｂは、本発明によるセッションおよびモビリティ管理（Session and Mobility Management：ＳＭＭ）に対する状態機械を示す。ＷＴＲＵおよび進化したシステム・コアは、ＭＭ−デタッチかつＳＭ−非活性の状態と、ＭＭ−接続かつＳＭ−活性の状態と、ＭＭ−アイドルかつＳＭ−活性の状態との内の１つであることができる。ＭＭ−デタッチかつＳＭ−非活性の状態においては、ＷＴＲＵと進化したシステム・コアの間には通信が全くない。進化したシステム・アタッチ処理の後に、ＳＭＭ状態は、ＭＭ−デタッチかつＳＭ−非活性の状態から、ＭＭ−接続かつＳＭ−活性の状態に変化する。ＭＭ−接続かつＳＭ−活性の状態においては、ＷＴＲＵと進化したシステム・コアの間でＰＳシグナリング接続が確立される。ＭＭ−接続かつＳＭ−活性の状態にある間にＰＳシグナリング接続を解放すると、ＳＭＭ状態をＭＭ−アイドルかつＳＭ−活性の状態に変化させる。ＭＭ−アイドルかつＳＭ−活性の状態にある間にＰＳシグナリング接続を確立すると、ＳＭＭ状態を、ＭＭ−接続かつＳＭ−活性の状態に変化させる。進化したシステムのデタッチ、ＰＳアタッチ拒否、またはＲＡＴ間ハンドオーバ拒否は、ＳＭＭ状態を、ＭＭ−デタッチかつＳＭ−非活性の状態に変化させる。
【００３０】
図９Ａ〜９Ｃは、本発明による進化したシステム・アタッチ処理および登録に対する過程１０００のフロー図である。ＷＴＲＵ１００２は、新ＣＮ（すなわち、進化したＣＮ）１００６にアタッチ要求（ATTACH REQUEST）メッセージを送信することにより、アタッチ手順１０００を起動する（ステップ１０２２）。アタッチ要求メッセージは、ＩＭＳＩ（またはＰ−ＴＭＳＩおよび旧ＲＡＩ）、アタッチ種別、または同様のものを含む。ＷＴＲＵ１００２がＰ−ＴＭＳＩにより自身を識別する場合には、新ＣＮ１００６は、ＲＡＩから旧ＳＧＳＮアドレスを導出し、ＷＴＲＵ１００２のＩＭＳＩ情報を要求する（ステップ１０２４）。新ＣＮ１００６は、識別要求メッセージ（IDENTIFICATION REQUEST）を旧ＳＧＳＮ１００８に送信する（ステップ１０２６）。識別要求メッセージには、Ｐ−ＴＭＳＩ、旧ＲＡＩ、旧Ｐ−ＴＭＳＩ署名、または同様のものが含まれる。
【００３１】
旧ＳＧＳＮ１００８は、記録に照会してＰ−ＴＭＳＩを検査し、識別応答（IDENTIFICATION RESPONSE）メッセージを新ＣＮ１００６に送信する（ステップ１０２８、１０３０）。ＷＴＲＵ１００２が旧ＳＧＳＮ１００８において既知である場合には、旧ＳＧＳＮ１００８は、ＩＭＳＩ、認証三重項または認証五重項を含む、識別応答メッセージにより応答する。ＷＴＲＵ１００２が旧ＳＧＳＮ１００８において既知でない場合か、旧Ｐ−ＴＭＳＩが旧ＳＧＳＮ１００８中に格納された値に合致しない場合には、旧ＳＧＳＮ１００８は、ステップ１０３０にて識別応答メッセージにおいて適切な誤り理由と共に応答する。ＷＴＲＵ１００２が旧ＳＧＳＮ１００８において未知である場合には、新ＣＮ１００６は、ＩＤ要求（ＩＤ種別＝ＩＭＳＩ）をＷＴＲＵ１００２に送信する（ステップ１０３２、１０３４）。ＷＴＲＵ１００２は次に、ＷＴＲＵ１００２のＩＭＳＩを含むＩＤ応答により応答する（ステップ１０３６）。
【００３２】
ＷＴＲＵ１００２に対するＭＭコンテキストがネットワーク中の何処にも存在しない場合には、認証手順が、ＷＴＲＵ１００２、新ＣＮ１００６、およびＨＬＲ１０１４によって実行される（ステップ１０３８）。通信事業者設定に準拠しオプションで、ＷＴＲＵ１００２、新ＣＮ１００６、およびＥＩＲ１０１０によってＩＭＥＩ検査手順を実行することができる（ステップ１０４０）。
【００３３】
最後のシステム・アタッチ以降に新ＣＮ番号が変化している場合か、またはそれがまさに最初のアタッチである場合には、新ＣＮ１００６は、位置更新（UPDATE LOCATION）メッセージをＨＬＲ１０１４に送信することによって、ＨＬＲ１０１４を更新する（ステップ１０４２）。位置更新メッセージには、ＣＮ番号、ＣＮアドレス、ＩＭＳＩ、または同様のものが含まれる。
【００３４】
ＨＬＲ１０１４は、ＣＮ番号を記録と比較し、そして位置消去（CANCEL LOCATION）メッセージ（ＩＭＳＩ、消去種別を含む）を旧ＳＧＳＮ１００８に送信する（ステップ１０４４、１０４６）。旧ＳＧＳＮ１００８は、位置消去ＡＣＫ（ステップ１０４８）により確認する。ＨＬＲ１０１４は、加入者データ挿入（INSERT SUBSCRIBER DATA）メッセージ（ＩＭＳＩ、加入者データ、ＰＤＰ種別、ＰＤＰアドレス、ＡＰＮ、ＱｏＳ、許可済み移動先移動体通信事業者ネットワーク（Visiting Public Land Mobile Network：ＶＰＬＭＮ）、または同様のものを含む）を新ＣＮ１００６に送信する（ステップ１０５０）。
【００３５】
新ＣＮ１００６は、ＷＴＲＵ１００２が新ＲＡにおいて許可されないかを検査する（ステップ１０５２）。地域加入者制限またはアクセス制限に依って、ＷＴＲＵ１００２がそのＲＡにおいてアタッチすることを許可されない場合には、新ＣＮ１００６は、そのアタッチ要求を適切な理由により拒否し、そして加入者データ挿入ＡＣＫ（ＩＭＳＩ、ＣＮエリア制限メッセージを含む）をＨＬＲ１０１４に返すことができる（ステップ１０５４）。加入者検査が他の理由で失敗したなら、新ＣＮ１００６はまた、適切な理由によりそのアタッチ要求を拒否し、そして加入者データ挿入ＡＣＫ（ＩＭＳＩおよび理由を含む）をＨＬＲ１０１４に返す。すべての検査がうまくいったなら、新ＣＮ１００６はＷＴＲＵ１００２に対するＳＭＭコンテキストを構築し、そして加入者データ挿入ＡＣＫ（ＩＭＳＩ、ＰＤＰ種別、ＰＤＰアドレス、ＡＰＮ、ＴＥＩＤ、または同様のものを含む）をＨＬＲ１０１４に返す（ステップ１０５６、１０５８）。ＨＬＲ１０１４は、ＳＭＭコンテキストを更新し、そして位置更新ＡＣＫを新ＣＮ１００６に送信する（ステップ１０６０、１０６２）。
【００３６】
アタッチ要求中に示されたアタッチ種別が結合されたＥ−ＵＴＲＡＮ／ＩＭＳＩアタッチを示す場合には、ＶＬＲが更新されるべきである。新ＣＮ１００６は、位置更新要求（LOCATION UPDATE REQUEST）を新ＶＬＲ１０１２に送信する（ステップ１０６４）。位置更新要求には、新ＬＡＩ、ＩＭＳＩ、ＣＮ番号、位置更新種別、または同様のものが含まれる。
【００３７】
新ＶＬＲ１０１２は、ＣＮ番号を格納することによって、新ＣＮ１００６との関連付けを生成する。ＬＡ更新が移動交換局（ＭＳＣ）間であるなら、新ＶＬＲ１０１２は、位置更新（UPDATE LOCATION）メッセージ（ＩＭＳＩおよび新ＶＬＲを含む）をＨＬＲ１０１４に送信する（ステップ１０６６）。ＨＬＲ１０１４は、位置消去（CANCEL LOCATION）メッセージを旧ＶＬＲ１０１６に送信する（ステップ１０６８）。旧ＶＬＲ１０１６は、位置消去ＡＣＫにより確認する（ステップ１０７０）。
【００３８】
ＨＬＲ１０１４は、加入者データ挿入（INSERT SUBSCRIBER DATA）メッセージ（ＩＭＳＩおよび加入者データを含む）を新ＶＬＲ１０１２に送信する（ステップ１０７２）。新ＶＬＲ１０１２は、加入者データ挿入ＡＣＫにより確認する（ステップ１０７４）。ＭＳＣ間位置更新手順を終了した後に、ＨＬＲ１０１４は位置更新ＡＣＫにより新ＶＬＲ１０１２に応答する（ステップ１０７６）。新ＶＬＲ１０１２は、位置更新受付（LOCATION UPDATE ACCEPT）メッセージ（ＶＬＲ  ＴＭＳＩを含む）により新ＣＮ１００６に応答する（ステップ１０７８）。
【００３９】
ＲＡＢセットアップ手順は、ＷＴＲＵ１００２、ＵＴＲＡＮ１００４、および新ＣＮ１００６の間で実行される（ステップ１０８０）。Ｉｕモードにおいて、かつＢＳＳトレースが活性化されている場合には、新ＣＮ１００６は、トレース呼び出し（INVOKE TRACE）メッセージをＵＴＲＡＮ１００４に送信することができる（ステップ１０８２）。
【００４０】
新ＣＮ１００６は、アタッチ受付（ATTACH ACCEPT）メッセージをＷＴＲＵ１００２に送信する（ステップ１０８４）。アタッチ受付メッセージには、Ｐ−ＴＭＳＩ、ＶＬＲ  ＴＭＳＩ、Ｐ−ＴＭＳＩ署名、ＰＤＰ種別、ＰＤＰアドレス、ＴＩ、ＱｏＳ、無線優先権、パケット・フローＩＤ、ＰＤＰ設定、または同様のものが含まれる。次にＷＴＲＵ１００２は、アタッチ完了（ATTACH COMPLETE）メッセージを新ＣＮ１００６に返し、そして新ＣＮ１００６はＴＭＳＩの再割り当て完了（TMSI REALLOCATION COMPLETE）メッセージを新ＶＬＲ１０１２に送信する（ステップ１０８６、１０８８）。
【００４１】
本発明によってアタッチ受付メッセージ中に含まれる情報要素（Information Element：ＩＥ）は、表１に示される。本発明によって導入された新ＩＥは表１中に太字フォントにて示される。アタッチ受付メッセージは、対応するアタッチ要求が受け付けられたことを示すためにＣＮによってＷＴＲＵに送られる。
【００４２】
【表１】
2014150578.tif 000003
【００４３】
ＷＴＲＵが、ＰＤＰのＩＰｖ４またはＩＰｖ６型、および動的アドレス付けによりＰＤＰコンテキストの活性化を要求しているなら、ＰＤＰアドレスＩＥはアタッチ受付メッセージに含まれる。ＣＮがプロトコル・データ（例えば、設定パラメータ、エラー符号またはメッセージ／イベント）をＷＴＲＵに送ろうとする場合には、プロトコル設定オプションＩＥは、アタッチ受付メッセージ中に含まれる。ＣＮがＰＤＰコンテキストに関連付けられたパケット・フローＩＤを示そうと欲する場合には、パケット・フローＩＤのＩＥを含めることができる。ＷＴＲＵが、ＷＴＲＵネットワーク能力ｌＥのＰＦＣ特性モード・フィールドにおいてＰＦＣ手順支援を示していない場合には、ＣＮはこのＩＥを含まないものとする。ＷＴＲＵがＰＦＣ手順支援を示していない場合には、受信しても、このＩＥを無視するものとする。
【００４４】
折衝済みＬＬＣ  ＳＡＰＩ、折衝済みＱｏＳ、無線優先権、および予備の半オクテットは、適切な設定を有するネットワークの中で適切なエンド・ポイントに対してサービスをマッピングするために使用されるｌＥである。ＬＬＣ  ＳＡＰＩは、ＷＴＲＵ、Ｅ−ＵＴＲＡＮおよび進化したＣＮの両方において、サービス・アクセス・ポイント識別子（Service Access Point Identifier）を識別する。これは、特定のサービスのトラフィック・フローが上り回線および下り回線に対して同一のノードを介して経路付けされることを確実にする。折衝済みＱｏＳは、ビット速度、遅延、ビット誤り率、ＰＤＵサイズ、または同様のものなどの、割り当てられるべきリソースを指定する、トラフィック・フローに対する属性の集合である。無線優先権ＩＥは、ＲＡＮに対してデータ・トラフィックのクラスを設定する。
【００４５】
＜実施形態＞
１．第１のコア・ネットワークおよび前記第１のコア・ネットワークから進化した第２のコア・ネットワークを含む進化した無線通信システムにおけるシステム・アタッチ処理のための方法。
【００４６】
２．ＷＴＲＵがアタッチ要求メッセージを前記第２のコア・ネットワークに送信するステップを備える実施形態１に記載の方法。
【００４７】
３．前記第２のコア・ネットワークがＰＤＰコンテキストを活性化するステップを備える実施形態２に記載の方法。
【００４８】
４．前記第２のコア・ネットワークがアタッチ受付メッセージを前記ＷＴＲＵに送信するステップを備え、該アタッチ受付メッセージが前記ＰＤＰコンテキストに関する情報を含む、実施形態２〜３の何れかに記載の方法。
【００４９】
５．前記アタッチ要求メッセージがＩＭＳＩを含む実施形態２〜４の何れかに記載の方法。
【００５０】
６．前記アタッチ要求メッセージが前記第１のコア・ネットワークに関するＰ−ＴＭＳＩおよびＲＡＩを含む実施形態２〜４の何れかに記載の方法。
【００５１】
７．前記第２のコア・ネットワークが前記第１のコア・ネットワークからＩＭＳＩを取得するために、識別要求を該第１のコア・ネットワークに送信するステップをさらに備える実施形態２〜６の何れかに記載の方法。
【００５２】
８．前記ＷＴＲＵが前記第１のコア・ネットワークにおいて既知である場合には、該第１のコア・ネットワークが前記ＩＭＳＩを含む識別応答を前記第２のコア・ネットワークへ送信するステップをさらに備える実施形態７に記載の方法。
【００５３】
９．前記第２のコア・ネットワークが、前記ＲＡＩを使用して前記第１のコア・ネットワークのアドレスを導出する実施形態７〜８の何れかに記載の方法。
【００５４】
１０．前記ＷＴＲＵが前記第１のコア・ネットワークにおいて既知でない場合には、該第１のコア・ネットワークがエラー・メッセージを有する前記識別応答を送信するステップをさらに備える実施形態８〜９の何れかに記載の方法。
【００５５】
１１．前記第２のコア・ネットワークが前記ＩＭＳＩを取得するためにＩＤ要求を前記ＷＴＲＵに送信するステップをさらに備える実施形態１０に記載の方法。
【００５６】
１２．前記ＷＴＲＵが前記ＩＭＳＩを有するＩＤ応答を送信するステップをさらに備える実施形態１１に記載の方法。
【００５７】
１３．前記Ｐ−ＴＭＳＩが前記第１のコア・ネットワーク中に格納された値に合致しない場合には、該第１のコア・ネットワークがエラー・メッセージを有する前記識別応答を送信するステップをさらに備える実施形態８〜１２の何れかに記載の方法。
【００５８】
１４．前記第２のコア・ネットワークが前記ＩＭＳＩを取得するためにＩＤ要求を前記ＷＴＲＵに送信するステップをさらに備える実施形態１３に記載の方法。
【００５９】
１５．前記ＷＴＲＵが前記ＩＭＳＩを有するＩＤ応答を送信するステップをさらに備える、実施形態１４に記載の方法。
【００６０】
１６．前記ＷＴＲＵおよび前記第２のコア・ネットワークが認証手順を実行するステップをさらに備える実施形態２〜１５の何れかに記載の方法。
【００６１】
１７．前記ＷＴＲＵおよび前記第２のコア・ネットワークがＩＭＥＩ検査手順を実行するステップをさらに備える実施形態２〜１６の何れかに記載の方法。
【００６２】
１８．前記アタッチ要求がアタッチ種別を示す実施形態２〜１７の何れかに記載の方法。
【００６３】
１９．前記アタッチ種別がＥ−ＵＴＲＡＮのみのアタッチ処理を示す実施形態１８に記載の方法。
【００６４】
２０．前記アタッチ種別がＥ−ＵＴＲＡＮおよびＩＭＳＩアタッチ処理を示す実施形態１８に記載の方法。
【００６５】
２１．前記アタッチ受付メッセージが、ＰＤＰ種別、ＰＤＰアドレス、ＴＩ、ＱｏＳ、無線優先権、パケット・フロー識別子、およびＰＤＰ設定の少なくとも１つを含む実施形態４〜２０の何れかに記載の方法。
【００６６】
２２．前記第２のコア・ネットワークが前記ＷＴＲＵに対するＳＭおよびＭＭについてＳＭＭコンテキストを構築するステップをさらに備える実施形態２〜２１の何れかに記載の方法。
【００６７】
２３．前記ＳＭＭの状態が、ＭＭ−デタッチかつＳＭ−非活性の状態、ＭＭ−接続かつＳＭ−活性の状態、およびＭＭ−アイドルかつＳＭ−活性の状態の内の１つとして定義される、実施形態２２に記載の方法。
【００６８】
２４．前記ＷＴＲＵのＳＭＭ状態が該ＷＴＲＵへのＰＤＰアドレスの割り当てに依存して変化する、実施形態２２〜２３の何れかに記載の方法。
【００６９】
２５．前記ＷＴＲＵが前記第２のコア・ネットワークに関するＲＡにおいて許可されないなら、該第２のコア・ネットワークが前記アタッチ要求を拒否するステップをさらに備える、実施形態２〜２４の何れかに記載の方法。
【００７０】
２６．第１のコア・ネットワーク、該第１のコア・ネットワークから進化した第２のコア・ネットワーク、およびアタッチ要求メッセージを該第２のコア・ネットワークに送信するように構成されるＷＴＲＵ、を備える無線通信システム。
【００７１】
２７．前記第２のコア・ネットワークが前記ＷＴＲＵに対するＰＤＰコンテキストを活性化し、かつ該ＰＤＰコンテキストに関する情報を含むアタッチ受付メッセージを該ＷＴＲＵに送信するように構成される、実施形態２６に記載のシステム。
【００７２】
２８．前記アタッチ要求メッセージがＩＭＳＩを含む、実施形態２６〜２７の何れかに記載のシステム。
【００７３】
２９．前記アタッチ要求メッセージが前記第１のコア・ネットワークに関するＰ−ＴＭＳＩおよびＲＡＩを含む、実施形態２６〜２７の何れかに記載のシステム。
【００７４】
３０．前記第２のコア・ネットワークが前記第１のコア・ネットワークからＩＭＳＩを取得するために、識別要求を該第１のコア・ネットワークに送信するように構成される、実施形態２６〜２９の何れかに記載のシステム。
【００７５】
３１．前記ＷＴＲＵが前記第１のコア・ネットワークにおいて既知である場合には、該第１のコア・ネットワークが前記ＩＭＳＩを含む識別応答を前記第２のコア・ネットワークへ送信するように構成される、実施形態３０に記載のシステム。
【００７６】
３２．前記第２のコア・ネットワークが、前記ＲＡＩを使用して前記第１のコア・ネットワークのアドレスを導出する、実施形態２９〜３１の何れかに記載のシステム。
【００７７】
３３．前記ＷＴＲＵが前記第１のコア・ネットワークにおいて既知でない場合には、該第１のコア・ネットワークがエラー・メッセージを有する前記識別応答を送信するように構成される、実施形態３２に記載のシステム。
【００７８】
３４．前記第２のコア・ネットワークが前記ＩＭＳＩを取得するためにＩＤ要求を前記ＷＴＲＵに送信するように構成され、該ＷＴＲＵが該ＩＭＳＩを有するＩＤ応答を送信するように構成される、実施形態２６〜２９の何れかに記載のシステム。
【００７９】
３５．前記Ｐ−ＴＭＳＩが前記第１のコア・ネットワーク中に格納された値に合致しない場合には、該第１のコア・ネットワークがエラー・メッセージを有する前記識別応答を送信するように構成される、実施形態３４に記載のシステム。
【００８０】
３６．前記第２のコア・ネットワークが前記ＩＭＳＩを取得するために前記ＷＴＲＵにＩＤ要求を送信するように構成され、該ＷＴＲＵが該ＩＭＳＩを有するＩＤ応答を送信するように構成される、実施形態２６〜３５の何れかに記載のシステム。
【００８１】
３７．前記ＷＴＲＵおよび前記第２のコア・ネットワークが認証手順を実行するように構成される、実施形態２６〜３６の何れかに記載のシステム。
【００８２】
３８．前記ＷＴＲＵおよび前記第２のコア・ネットワークがＥＩＲによるＩＭＥＩ検査手順を実行するように構成される、実施形態２６〜３７の何れかに記載のシステム。
【００８３】
３９．前記アタッチ要求がアタッチ種別を示す、実施形態２６〜３８の何れかに記載のシステム。
【００８４】
４０．前記アタッチ種別がＥ−ＵＴＲＡＮのみのアタッチ処理を示す、実施形態３９に記載のシステム。
【００８５】
４１．前記アタッチ種別がＥ−ＵＴＲＡＮおよびＩＭＳＩアタッチ処理を示す、実施形態３９に記載のシステム。
【００８６】
４２．前記アタッチ受付メッセージが、ＰＤＰ種別、ＰＤＰアドレス、ＴＩ、ＱｏＳ、無線優先権、パケット・フロー識別子、およびＰＤＰ設定の少なくとも１つを含む、実施形態２７〜４１の何れかに記載のシステム。
【００８７】
４３．前記第２のコア・ネットワークが前記ＷＴＲＵに対するＳＭおよびＭＭについてＳＭＭコンテキストを構築するように構成される、実施形態２６〜４２の何れかに記載のシステム。
【００８８】
４４．前記ＳＭＭの状態が、ＭＭ−デタッチかつＳＭ−非活性の状態、ＭＭ−接続かつＳＭ−活性の状態、およびＭＭ−アイドルかつＳＭ−活性の状態の内の１つとして定義される、実施形態４３に記載のシステム。
【００８９】
４５．前記ＷＴＲＵのＳＭＭ状態が該ＷＴＲＵへのＰＤＰアドレスの割り当てに依存して変化する、実施形態４３〜４４の何れかに記載のシステム。
【００９０】
４６．前記ＷＴＲＵが前記第２のコア・ネットワークに関するＲＡにおいて許可されない場合には、該第２のコア・ネットワークが前記アタッチ要求を拒否するように構成される、実施形態２７〜４５の何れかに記載のシステム。
【００９１】
４７．ＷＴＲＵがデタッチ状態でかつＰＤＰコンテキストが活性化されていない状態であることを示す、ＭＭ−デタッチかつＳＭ−非活性の状態を備える、ＳＭＭに対する状態機械。
【００９２】
４８．前記ＷＴＲＵがアタッチ状態でかつＰＤＰコンテキストが活性化状態であり、ＳＭ接続が確立していることを示す、ＭＭ−接続かつＳＭ−活性の状態をさらに備える、実施形態４７に記載の状態機械。
【００９３】
４９．前記ＷＴＲＵがアタッチ状態でかつＰＤＰコンテキストが活性化状態であり、前記ＳＭ接続が解放されていることを示す、ＭＭ−アイドルかつＳＭ−活性の状態をさらに備える、実施形態４７〜４８の何れかに記載の状態機械。
【００９４】
本発明の特徴および要素が好適な実施形態において特定の組み合わせにて記述されているが、それぞれの特徴または要素は、好適な実施形態の他の特徴および要素なしで単独で、または本発明の他の特徴および要素のあるなしにかかわらず、様々な組み合わせにて使用可能である。
【図１】
2014150578.tif 000004
【図２Ａ】
2014150578.tif 000005
【図２Ｂ】
2014150578.tif 000006
【図３Ａ】
2014150578.tif 000007
【図３Ｂ】
2014150578.tif 000008
【図３Ｃ】
2014150578.tif 000009
【図４】
2014150578.tif 000010
【図５】
2014150578.tif 000011
【図６】
2014150578.tif 000012
【図７】
2014150578.tif 000013
【図８】
2014150578.tif 000014
【図９Ａ】
2014150578.tif 000015
【図９Ｂ】
2014150578.tif 000016
【図９Ｃ】
2014150578.tif 000017